(57)【要約】    【課題】  高齢者や幼児等の力のない人であっても容易に開栓することができるペットボトル用キャップ開栓具を提供することである。    【解決手段】  ほぼ半円弧状の内周（１４）をもつ本体（１２）と、本体に取付けられた柄（１６）とを備え、内周の径が、開栓しようとするキャップの径と実質的に同一になるように形成されており、内周の一端に、内方に僅かに突出した突出部（１４ａ）が設けられており、開栓しようとするキャップを内周内に嵌め込み、柄を突出部が位置する側と反対の側に回すことにより、キャップが開栓されるように構成されている開栓具（１０）が提供される。【選択図】  図１
2006273365.tif 000002
【特許請求の範囲】
【請求項１】
ペットボトル用キャップ開栓具であって、
ほぼ半円弧状の内周をもつ本体と、
前記本体に固定され或いは取り外し可能に取付けられた柄とを備え、
前記内周の径が、開栓しようとするキャップの径と実質的に同一になるように形成されており、前記内周の一端に、内方に僅かに突出した突出部が設けられており、
開栓しようとするキャップを前記内周内に嵌め込み、前記柄を前記突出部が位置する側と反対の側に回すことにより、キャップが開栓されるように構成されていることを特徴とする開栓具。
【請求項２】
ペットボトル用キャップ開栓具であって、
ほぼ半円弧状の小径の第１内周及び前記第１内周に隣接して設けられたほぼ半円弧状の大径の第２内周をもつ本体と、
前記本体に固定され或いは取り外し可能に取付けられた柄とを備え、
前記第１内周の径が、キャップの径と実質的に同一になるように形成され、前記第２内周の径が、別のキャップの径と実質的に同一になるように形成されており、
前記第１内周の一端に、内方に僅かに突出した第１突出部が設けられ、前記第２内周の一端に、内方に僅かに突出した第２突出部が設けられており、
開栓しようとするキャップを前記第１内周内又は前記第２内周内のいずれかに嵌め込み、前記柄を前記突出部が位置する側と反対の側に回すことにより、キャップが開栓されるように構成されていることを特徴とする開栓具。
【請求項３】
ペットボトル用キャップ開栓具であって、
ほぼ半円弧状の内周をもつ本体と、
前記本体に固定され或いは取り外し可能に取付けられた柄とを備え、
前記内周の径が、開栓しようとするキャップの径と実質的に同一になるように形成されており、前記内周に、複数の凹凸が設けられており、
開栓しようとするキャップを前記内周内に嵌め込み、前記柄を回すことにより、キャップが開栓されるように構成されていることを特徴とする開栓具。
【請求項４】
ペットボトル用キャップ開栓具であって、
ほぼ半円弧状の小径の第１内周及び前記第１内周に隣接して設けられたほぼ半円弧状の大径の第２内周をもつ本体と、
前記本体に固定され或いは取り外し可能に取付けられた柄とを備え、
前記第１内周の径が、キャップの径と実質的に同一になるように形成され、前記第２内周の径が、別のキャップの径と実質的に同一になるように形成されており、
前記第１内周及び前記第２内周に、複数の凹凸がそれぞれ設けられており、
開栓しようとするキャップを前記第１内周内又は前記第２内周内のいずれかに嵌め込み、前記柄を回すことにより、キャップが開栓されるように構成されていることを特徴とする開栓具。
【発明の詳細な説明】
【技術分野】
【０００１】
本発明は、ペットボトル用キャップを取り外すためのペットボトル用キャップ開栓具に関する。
【背景技術】
【０００２】
飲料等の液体を収容する容器として、ペットボトルが広く用いられている。ペットボトルは、開栓前にはアルミニウムやプラスチックのキャップで密封されており、キャップを所定の力で反時計方向にまわすことにより、開栓されてキャップを取り外すことができるようになっている。
【発明の開示】
【発明が解決しようとする課題】
【０００３】
しかしながら、開栓するには所定の力でキャップをまわす必要があるため、高齢者や幼児等の力のない人にとっては、開栓するのが容易ではないという課題があった。
【０００４】
本発明は、このような状況に鑑みて案出されたものであって、高齢者や幼児等の力のない人であっても容易に開栓することができるペットボトル用キャップ開栓具を提供することを目的としている。
【課題を解決するための手段】
【０００５】
本願請求項１に記載のペットボトル用キャップ開栓具は、ほぼ半円弧状の内周をもつ本体と、前記本体に固定され或いは取り外し可能に取付けられた柄とを備え、前記内周の径が、開栓しようとするキャップの径と実質的に同一になるように形成されており、前記内周の一端に、内方に僅かに突出した突出部が設けられており、開栓しようとするキャップを前記内周内に嵌め込み、前記柄を前記突出部が位置する側と反対の側に回すことにより、キャップが開栓されるように構成されていることを特徴とするものである。
【０００６】
本願請求項２に記載のペットボトル用キャップ開栓具は、ほぼ半円弧状の小径の第１内周及び前記第１内周に隣接して設けられたほぼ半円弧状の大径の第２内周をもつ本体と、前記本体に固定され或いは取り外し可能に取付けられた柄とを備え、前記第１内周の径が、キャップの径と実質的に同一になるように形成され、前記第２内周の径が、別のキャップの径と実質的に同一になるように形成されており、前記第１内周の一端に、内方に僅かに突出した第１突出部が設けられ、前記第２内周の一端に、内方に僅かに突出した第２突出部が設けられており、開栓しようとするキャップを前記第１内周内又は前記第２内周内のいずれかに嵌め込み、前記柄を前記突出部が位置する側と反対の側に回すことにより、キャップが開栓されるように構成されていることを特徴とするものである。
【０００７】
本願請求項３に記載のペットボトル用キャップ開栓具は、ほぼ半円弧状の内周をもつ本体と、前記本体に固定され或いは取り外し可能に取付けられた柄とを備え、前記内周の径が、開栓しようとするキャップの径と実質的に同一になるように形成されており、前記内周に、複数の凹凸が設けられており、開栓しようとするキャップを前記内周内に嵌め込み、前記柄を回すことにより、キャップが開栓されるように構成されていることを特徴とするものである。
【０００８】
本願請求項４に記載のペットボトル用キャップ開栓具は、ほぼ半円弧状の小径の第１内周及び前記第１内周に隣接して設けられたほぼ半円弧状の大径の第２内周をもつ本体と、前記本体に固定され或いは取り外し可能に取付けられた柄とを備え、前記第１内周の径が、キャップの径と実質的に同一になるように形成され、前記第２内周の径が、別のキャップの径と実質的に同一になるように形成されており、前記第１内周及び前記第２内周に、複数の凹凸がそれぞれ設けられており、開栓しようとするキャップを前記第１内周内又は前記第２内周内のいずれかに嵌め込み、前記柄を回すことにより、キャップが開栓されるように構成されていることを特徴とするものである。
【発明の効果】
【０００９】
本発明の開栓具によれば、高齢者や幼児等の力のない人であっても容易に開栓することが可能である。また、本発明の開栓具は、構造が極めて簡単であるため、低コストで製造することができ、また、故障するおそれもない。
【発明を実施するための最良の形態】
【００１０】
次に図面を参照して、本発明の好ましい実施の形態に係るペットボトル用キャップ開栓具について詳細に説明する。図１は、本発明の第１の実施の形態に係るペットボトル用キャップ開栓具を示した図である。図１において全体として参照符号１０で示される本発明の第１の実施の形態に係るペットボトル用キャップ開栓具は、ほぼ半円弧状の内周１４をもつ本体１２を備えている。本体１２の内周１４の径は、開栓しようとするキャップの径と実質的に同一になるように形成されている。
【００１１】
本体１２の内周１４の一端には、内方に僅かに突出した突出部１４ａが設けられている。一方、好ましくは、本体１２の内周１４の他端１４ｂは、半円弧状の内周１４がほぼ接線方向（図１（ａ）において一点鎖線ｔ−ｔで図示）に延びるように形成されている。
【００１２】
ペットボトル用キャップ開栓具１０は又、本体１２に固定され或いは取り外し可能に取付けられた柄１６を備えている。なお、本体１２は、金属材料又は合成樹脂材料で形成されている。また、柄１６は、木、金属材料、合成樹脂材料、又は合成ゴムで形成されている。
【００１３】
以上のように構成されたペットボトル用キャップ開栓具１０の使用について説明する。まず、図１（ｂ）に示されるように、開栓しようとするキャップを本体１２の内周１４内に嵌め込む。その際、本体１２の内周１４の他端１４ｂが接線方向に延びるように形成されているので、キャップの嵌め込みが容易である。上述のように、本体１２の内周１４の径が、キャップの径と実質的に同一になるように形成されているため、キャップを本体１２の内周１４内に嵌め込むことができるが、キャップがアルミニウムやプラスチック等の軟らかい材料で作られているので、キャップを内周１４内に嵌め込むと、本体１２の内周１４の一端の突出部１４ａがキャップに食い込んだ状態になる。次いで、柄１６を突出部１４ａが位置する側と反対の側（図１（ｂ）において矢印で図示）に回す。すると、突出部１４ａがキャップに食い込んだ状態で、キャップに回転モーメント（＝回そうとする力×力の作用位置からキャップの中心までの距離）が作用するため、容易に開栓することができる。
【００１４】
図２は、本発明の第２の実施の形態に係るペットボトル用キャップ開栓具を示した図である。図２において全体として参照符号２０で示される本発明の第２の実施の形態に係るペットボトル用キャップ開栓具は、本体２２に、小径の第１内周２４と大径の第２内周２６とが設けられている点を除いて、ペットボトル用キャップ開栓具１０と実質的に同一の構成を有している。
【００１５】
すなわち、ペットボトル用キャップ開栓具２０は、ほぼ半円弧状の小径の第１内周２４及び第１内周２４に隣接して設けられたほぼ半円弧状の大径の第２内周２６をもつ本体２２を備えている。本体２２の第１内周２４の径は、キャップの径と実質的に同一になるように形成されており、本体２２の第２内周２６の径は、別のキャップの径と実質的に同一になるように形成されている。本体２２の第１内周２４の一端には、内方に僅かに突出した第１突出部２４ａが設けられており、第２内周２６の一端にも、内方に僅かに突出した第２突出部２６ａが設けられている。一方、好ましくは、本体２２の第１内周２４の他端２４ｂは、半円弧状の第１内周２４がほぼ接線方向（図２において一点鎖線ｔ1 −ｔ1 で図示）に延びるように形成されており、第２内周２６の他端２６ｂも、第２内周２６がほぼ接線方向（図２において一点鎖線ｔ2 −ｔ2 で図示）に延びるように形成されている。ペットボトル用キャップ開栓具２０は又、本体２２に固定され或いは取り外し可能に取付けられた柄２８を備えている。
【００１６】
ペットボトル用キャップ開栓具２０の使用も、開栓しようとするキャップの径に応じて第１内周２４又は第２内周２６のいずれかを選択する点を除いて、ペットボトル用キャップ開栓具１０の使用と同様である（図３参照）。
【００１７】
図４は、本発明の第３の実施の形態に係るペットボトル用キャップ開栓具を示した図である。図４において全体として参照符号３０で示される本発明の第３の実施の形態に係るペットボトル用キャップ開栓具は、本体の内周の一端に突出部を設ける代わりに本体の内周に複数の凹凸を設けている点を除いて、ペットボトル用キャップ開栓具１０と実質的に同一の構成を有している。
【００１８】
すなわち、ペットボトル用キャップ開栓具３０は、ほぼ半円弧状の内周３４をもつ本体３２を備えており、内周３４には、複数の凹凸３４ａが設けられている。また、本体３２の内周３４の径は、キャップの径と実質的に同一になるように形成されている。好ましくは、本体３２の内周３４の両端は、内周３４がほぼ接線方向（図４（ａ）において一点鎖線ｔ3 −ｔ3 で図示）に延びるように形成されている。ペットボトル用キャップ開栓具３０は又、本体３２に固定され或いは取り外し可能に取付けられた柄３６を備えている。
【００１９】
ペットボトル用キャップ開栓具３０の使用も、開栓時に滑らないように凹凸３４ａが設けられている点を除いて、ペットボトル用キャップ開栓具１０の使用と同様である（図４（ｂ）参照）。
【００２０】
図５は、本発明の第４の実施の形態に係るペットボトル用キャップ開栓具を示した図である。図５において全体として参照符号４０で示される本発明の第４の実施の形態に係るペットボトル用キャップ開栓具は、本体の内周の一端に突出部を設ける代わりに本体の内周に複数の凹凸を設けている点を除いて、ペットボトル用キャップ開栓具２０と実質的に同一の構成を有している。
【００２１】
すなわち、ペットボトル用キャップ開栓具４０は、ほぼ半円弧状の小径の第１内周４４及び第１内周４４に隣接して設けられたほぼ半円弧状の大径の第２内周４６をもつ本体４２を備えており、第１内周４４及び第２内周４６には、複数の凹凸４４ａ、４６ａがそれぞれ設けられている。また、本体４２の第１内周４４の径は、キャップの径と実質的に同一になるように形成されており、本体４２の第２内周４６の径は、別のキャップの径と実質的に同一になるように形成されている。好ましくは、本体４２の第１内周４４の両端は、第１内周４４がほぼ接線方向（図５において一点鎖線ｔ4 −ｔ4 で図示）に延びるように形成されており、本体４２の第２内周４６の両端も、第２内周４６がほぼ接線方向（図５において一点鎖線ｔ5 −ｔ5 で図示）に延びるように形成されている。ペットボトル用キャップ開栓具４０は又、本体４２に固定され或いは取り外し可能に取付けられた柄４８を備えている。
【００２２】
ペットボトル用キャップ開栓具４０の使用も、開栓時に滑らないように凹凸４４ａ、４６ａが設けられている点を除いて、ペットボトル用キャップ開栓具２０の使用と同様である。
【００２３】
本発明は、以上の発明の実施の形態に限定されることなく、特許請求の範囲に記載された発明の範囲内で、種々の変更が可能であり、それらも本発明の範囲内に包含されるものであることはいうまでもない。
【００２４】
例えば、以上の実施の形態では、本体の外周の形状は、各本体の内周の形状とほぼ相似形になるように図示されているが、図６に示されるように、本体の外周を内周の形状と異なるように形作ってもよい。また、本体と柄が別体のものとして図示されているが、本体と柄を一体に形成してもよい。
【図面の簡単な説明】
【００２５】
【図１】図１（ａ）は本発明の第１の実施の形態に係る開栓具を示した正面図、図１（ｂ）は図１（ａ）の開栓具の使用状態を示した図である。
【図２】本発明の第２の実施の形態に係る開栓具を示した正面図である。
【図３】図２の開栓具の使用状態を示した図である。
【図４】図４（ａ）は本発明の第３の実施の形態に係る開栓具を示した正面図、図４（ｂ）は図４（ａ）の開栓具の使用状態を示した図である。
【図５】本発明の第４の実施の形態に係る開栓具を示した正面図である。
【図６】本発明の開栓具の変形形態を示した図である。
【符号の説明】
【００２６】
１０、２０、３０、４０  ペットボトル用キャップ開栓具
１２、２２、３２、４２  本体
１４、２４、２６、３４、４４、４６  内周
１４ａ、２４ａ、２６ａ、３４ａ、４４ａ、４６ａ  突出部
１６、２８、３６、４８  柄
【図１】
2006273365.tif 000003
【図２】
2006273365.tif 000004
【図３】
2006273365.tif 000005
【図４】
2006273365.tif 000006
【図５】
2006273365.tif 000007
【図６】
2006273365.tif 000008